(57)【要約】【課題】より見栄えのよいアルバムを容易に作製することができる画像処理装置、画像形成装置、画像処理方法及び画像処理プログラムを提供する。【解決手段】複数の画像データの中から所定の画像データが選択された場合に（ステップＳ１０２でＹｅｓ）、その選択された画像データとアルバムにおいて同時に閲覧される画像データを抽出する（ステップＳ１０３）。これにより、複数の画像データの中から選択した所定の画像データとアルバムにおいて同時に閲覧される画像データを自動的に抽出することができる。したがって、上記所定の画像データ及び上記同時に閲覧される画像データに対して、画像特性が同程度となるような画像調整などを容易に行うことができるので、より見栄えのよいアルバムを容易に作製することができる。【選択図】          図３
2010052170.tif 000002
【特許請求の範囲】
【請求項１】
複数ページからなるアルバムの各ページに割り当てられる複数の画像データに対する処理を行う画像処理装置であって、
上記複数の画像データの中から所定の画像データを選択するための画像データ選択手段と、
上記画像データ選択手段により選択された上記所定の画像データとアルバムにおいて同時に閲覧される画像データを抽出する画像データ抽出手段とを備えたことを特徴とする画像処理装置。
【請求項２】
上記所定の画像データに対する画像調整を指示する画像調整指示手段と、
上記画像調整指示手段による指示に基づいて、上記所定の画像データ、及び、上記画像データ抽出手段により抽出された画像データに対して画像調整を行う画像データ調整手段とを備えたことを特徴とする請求項１に記載の画像処理装置。
【請求項３】
複数ページからなるアルバムの各ページに割り当てられる複数の画像データに対する処理を行う画像処理装置であって、
上記複数ページの中から所定のページを選択するためのページ選択手段と、
上記ページ選択手段により選択された上記所定のページに割り当てられている画像データとアルバムにおいて同時に閲覧される画像データを抽出する画像データ抽出手段とを備えたことを特徴とする画像処理装置。
【請求項４】
上記所定のページに割り当てられている画像データに対する画像調整を指示する画像調整指示手段と、
上記画像調整指示手段による指示に基づいて、上記所定のページに割り当てられている画像データ、及び、上記画像データ抽出手段により抽出された画像データに対して画像調整を行う画像データ調整手段とを備えたことを特徴とする請求項３に記載の画像処理装置。
【請求項５】
上記同時に閲覧される画像データが、見開きページに割り当てられる画像データであることを特徴とする請求項１〜４のいずれかに記載の画像処理装置。
【請求項６】
上記画像データ抽出手段により抽出された画像データを表示する画像データ表示手段を備えたことを特徴とする請求項１〜５のいずれかに記載の画像処理装置。
【請求項７】
複数ページからなるアルバムの各ページに割り当てられる複数の画像データに対する処理を行って写真プリントを生成する画像形成装置であって、
上記複数の画像データの中から所定の画像データを選択するための画像データ選択手段と、
上記画像データ選択手段により選択された上記所定の画像データとアルバムにおいて同時に閲覧される画像データを抽出する画像データ抽出手段と、
上記所定の画像データ、及び、上記画像データ抽出手段により抽出された画像データに基づいて写真プリントを生成する画像形成手段とを備えたことを特徴とする画像形成装置。
【請求項８】
複数ページからなるアルバムの各ページに割り当てられる複数の画像データに対する処理を行って写真プリントを生成する画像形成装置であって、
上記複数ページの中から所定のページを選択するためのページ選択手段と、
上記ページ選択手段により選択された上記所定のページに割り当てられている画像データとアルバムにおいて同時に閲覧される画像データを抽出する画像データ抽出手段と、
上記所定のページに割り当てられている画像データ、及び、上記画像データ抽出手段により抽出された画像データに基づいて写真プリントを生成する画像形成手段とを備えたことを特徴とする画像形成装置。
【請求項９】
複数ページからなるアルバムの各ページに割り当てられる複数の画像データに対する処理を行う画像処理方法であって、
上記複数の画像データの中から所定の画像データを選択するための画像データ選択ステップと、
上記画像データ選択ステップにより選択された上記所定の画像データとアルバムにおいて同時に閲覧される画像データを抽出する画像データ抽出ステップとを備えたことを特徴とする画像処理方法。
【請求項１０】
複数ページからなるアルバムの各ページに割り当てられる複数の画像データに対する処理を行う画像処理方法であって、
上記複数ページの中から所定のページを選択するためのページ選択ステップと、
上記ページ選択ステップにより選択された上記所定のページに割り当てられている画像データとアルバムにおいて同時に閲覧される画像データを抽出する画像データ抽出ステップとを備えたことを特徴とする画像処理方法。
【請求項１１】
複数ページからなるアルバムの各ページに割り当てられる複数の画像データに対する処理をコンピュータに行わせる画像処理プログラムであって、
上記コンピュータを、
上記複数の画像データの中から所定の画像データを選択するための画像データ選択手段と、
上記画像データ選択手段により選択された上記所定の画像データとアルバムにおいて同時に閲覧される画像データを抽出する画像データ抽出手段として機能させることを特徴とする画像処理プログラム。
【請求項１２】
複数ページからなるアルバムの各ページに割り当てられる複数の画像データに対する処理をコンピュータに行わせる画像処理プログラムであって、
上記コンピュータを、
上記複数ページの中から所定のページを選択するためのページ選択手段と、
上記ページ選択手段により選択された上記所定のページに割り当てられている画像データとアルバムにおいて同時に閲覧される画像データを抽出する画像データ抽出手段として機能させることを特徴とする画像処理プログラム。
【発明の詳細な説明】
【技術分野】
【０００１】
本発明は、複数ページからなるアルバムの各ページに割り当てられる複数の画像データに対する処理を行う画像処理装置、画像形成装置、画像処理方法及び画像処理プログラムに関するものである。
【背景技術】
【０００２】
近年、写真プリントに関するサービスの一例として、現像済み写真フィルムの各コマ画像から読み取った画像データや、デジタルカメラで撮影することにより得られた画像データに基づいて、複数枚の写真プリントを生成し、それらをファイリング又は製本することによりアルバムを作製するようなサービスが知られている（例えば、特許文献１参照）。
【０００３】
【特許文献１】特開２００２−１７８５８８号公報
【発明の開示】
【発明が解決しようとする課題】
【０００４】
上記のようなアルバムを作製する場合、画像が両面に形成された写真プリントを生成し、それらをファイリング又は製本すれば、見開き状態のページ（見開きページ）に画像が配置されるため、より多くの画像を同時に閲覧することができる。
【０００５】
上記見開きページのように同時に閲覧される複数の画像データをプリントする場合、それらの各画像データ同士において、同一人物の肌の色合いが違ったり、同一背景の色合いが違ったりした場合には、アルバムとしての見栄えが悪くなるおそれがある。そこで、同時に閲覧される複数の画像データの画像特性が同程度となるように画像調整を行うことが考えられるが、各画像データを読み出して画像調整を行わなければならないため、作業が煩雑になる。
【０００６】
また、アルバムにおけるいずれかのページのみを再プリントする場合などには、再プリントするページの画像データに対して画像調整を行った場合に、当該ページと同一の見開きページに含まれる別のページの画像データと比べて、画像特性に大きな差異が生じるおそれがある。
【０００７】
本発明は、上記実情に鑑みてなされたものであり、より見栄えのよいアルバムを容易に作製することができる画像処理装置、画像形成装置、画像処理方法及び画像処理プログラムを提供することを目的とする。
【課題を解決するための手段】
【０００８】
第１の本発明に係る画像処理装置は、複数ページからなるアルバムの各ページに割り当てられる複数の画像データに対する処理を行う画像処理装置であって、上記複数の画像データの中から所定の画像データを選択するための画像データ選択手段と、上記画像データ選択手段により選択された上記所定の画像データとアルバムにおいて同時に閲覧される画像データを抽出する画像データ抽出手段とを備えたことを特徴とする。
【０００９】
このような構成によれば、複数の画像データの中から選択した所定の画像データとアルバムにおいて同時に閲覧される画像データを自動的に抽出することができる。したがって、上記所定の画像データ及び上記同時に閲覧される画像データに対して、画像特性が同程度となるような画像調整などを容易に行うことができるので、より見栄えのよいアルバムを容易に作製することができる。
【００１０】
第２の本発明に係る画像処理装置は、上記所定の画像データに対する画像調整を指示する画像調整指示手段と、上記画像調整指示手段による指示に基づいて、上記所定の画像データ、及び、上記画像データ抽出手段により抽出された画像データに対して画像調整を行う画像データ調整手段とを備えたことを特徴とする。
【００１１】
このような構成によれば、上記所定の画像データに対する画像調整の指示に基づいて、当該所定の画像データだけでなく、同時に閲覧される画像データに対しても画像調整を行うことができる。したがって、より見栄えのよいアルバムをさらに容易に作製することができる。
【００１２】
第３の本発明に係る画像処理装置は、複数ページからなるアルバムの各ページに割り当てられる複数の画像データに対する処理を行う画像処理装置であって、上記複数ページの中から所定のページを選択するためのページ選択手段と、上記ページ選択手段により選択された上記所定のページに割り当てられている画像データとアルバムにおいて同時に閲覧される画像データを抽出する画像データ抽出手段とを備えたことを特徴とする。
【００１３】
このような構成によれば、複数ページの中から選択した所定のページに割り当てられている画像データとアルバムにおいて同時に閲覧される画像データを自動的に抽出することができる。したがって、上記所定のページに割り当てられている画像データ及び上記同時に閲覧される画像データに対して、画像特性が同程度となるような画像調整などを容易に行うことができるので、より見栄えのよいアルバムを容易に作製することができる。
【００１４】
第４の本発明に係る画像処理装置は、上記所定のページに割り当てられている画像データに対する画像調整を指示する画像調整指示手段と、上記画像調整指示手段による指示に基づいて、上記所定のページに割り当てられている画像データ、及び、上記画像データ抽出手段により抽出された画像データに対して画像調整を行う画像データ調整手段とを備えたことを特徴とする。
【００１５】
このような構成によれば、上記所定のページに割り当てられている画像データに対する画像調整の指示に基づいて、当該所定のページに割り当てられている画像データだけでなく、同時に閲覧される画像データに対しても画像調整を行うことができる。したがって、より見栄えのよいアルバムをさらに容易に作製することができる。
【００１６】
第５の本発明に係る画像処理装置は、上記同時に閲覧される画像データが、見開きページに割り当てられる画像データであることを特徴とする。
【００１７】
このような構成によれば、選択された所定の画像データ又は所定のページに対して見開きページに割り当てられている画像データに、画像特性が同程度となるような画像調整などを容易に行うことができるので、より見栄えのよいアルバムを容易に作製することができる。
【００１８】
第６の本発明に係る画像処理装置は、上記画像データ抽出手段により抽出された画像データを表示する画像データ表示手段を備えたことを特徴とする。
【００１９】
このような構成によれば、抽出された画像データを表示し、その表示された画像データの画像特性を確認することができる。したがって、例えば抽出された画像データに対して行うべき画像調整の態様を容易に判断することができるので、より見栄えのよいアルバムをさらに容易に作製することができる。
【００２０】
第７の本発明に係る画像形成装置は、複数ページからなるアルバムの各ページに割り当てられる複数の画像データに対する処理を行って写真プリントを生成する画像形成装置であって、上記複数の画像データの中から所定の画像データを選択するための画像データ選択手段と、上記画像データ選択手段により選択された上記所定の画像データとアルバムにおいて同時に閲覧される画像データを抽出する画像データ抽出手段と、上記所定の画像データ、及び、上記画像データ抽出手段により抽出された画像データに基づいて写真プリントを生成する画像形成手段とを備えたことを特徴とする。
【００２１】
このような構成によれば、第１の本発明に係る画像処理装置と同様の効果を奏する画像形成装置を提供することができる。特に、アルバムにおけるいずれかのページを再プリントしようとする場合などには、当該ページに割り当てられている所定の画像データを選択すると、当該所定の画像データとアルバムにおいて同時に閲覧される画像データが抽出される。したがって、例えば再プリントしようとするページに対して見開きページの関係にあるページのように、再プリントしようとするページ以外の同時に閲覧されるページも自動的に再プリントすることができるので、より見栄えのよいアルバムを容易に作製することができる。
【００２２】
第８の本発明に係る画像形成装置は、複数ページからなるアルバムの各ページに割り当てられる複数の画像データに対する処理を行って写真プリントを生成する画像形成装置であって、上記複数ページの中から所定のページを選択するためのページ選択手段と、上記ページ選択手段により選択された上記所定のページに割り当てられている画像データとアルバムにおいて同時に閲覧される画像データを抽出する画像データ抽出手段と、上記所定のページに割り当てられている画像データ、及び、上記画像データ抽出手段により抽出された画像データに基づいて写真プリントを生成する画像形成手段とを備えたことを特徴とする。
【００２３】
このような構成によれば、第３の本発明に係る画像処理装置と同様の効果を奏する画像形成装置を提供することができる。特に、アルバムにおけるいずれかのページを再プリントしようとする場合などには、当該ページを選択すると、当該ページに割り当てられている画像データとアルバムにおいて同時に閲覧される画像データが抽出される。したがって、例えば再プリントしようとするページに対して見開きページの関係にあるページのように、再プリントしようとするページ以外の同時に閲覧されるページも自動的に再プリントすることができるので、より見栄えのよいアルバムを容易に作製することができる。
【００２４】
第９の本発明に係る画像処理方法は、複数ページからなるアルバムの各ページに割り当てられる複数の画像データに対する処理を行う画像処理方法であって、上記複数の画像データの中から所定の画像データを選択するための画像データ選択ステップと、上記画像データ選択ステップにより選択された上記所定の画像データとアルバムにおいて同時に閲覧される画像データを抽出する画像データ抽出ステップとを備えたことを特徴とする。
【００２５】
このような構成によれば、第１の本発明に係る画像処理装置と同様の効果を奏する画像処理方法を提供することができる。
【００２６】
第１０の本発明に係る画像処理方法は、複数ページからなるアルバムの各ページに割り当てられる複数の画像データに対する処理を行う画像処理方法であって、上記複数ページの中から所定のページを選択するためのページ選択ステップと、上記ページ選択ステップにより選択された上記所定のページに割り当てられている画像データとアルバムにおいて同時に閲覧される画像データを抽出する画像データ抽出ステップとを備えたことを特徴とする。
【００２７】
このような構成によれば、第３の本発明に係る画像処理装置と同様の効果を奏する画像処理方法を提供することができる。
【００２８】
第１１の本発明に係る画像処理プログラムは、複数ページからなるアルバムの各ページに割り当てられる複数の画像データに対する処理をコンピュータに行わせる画像処理プログラムであって、上記コンピュータを、上記複数の画像データの中から所定の画像データを選択するための画像データ選択手段と、上記画像データ選択手段により選択された上記所定の画像データとアルバムにおいて同時に閲覧される画像データを抽出する画像データ抽出手段として機能させることを特徴とする。
【００２９】
このような構成によれば、第１の本発明に係る画像処理装置と同様の効果を奏する画像処理プログラムを提供することができる。
【００３０】
第１２の本発明に係る画像処理プログラムは、複数ページからなるアルバムの各ページに割り当てられる複数の画像データに対する処理をコンピュータに行わせる画像処理プログラムであって、上記コンピュータを、上記複数ページの中から所定のページを選択するためのページ選択手段と、上記ページ選択手段により選択された上記所定のページに割り当てられている画像データとアルバムにおいて同時に閲覧される画像データを抽出する画像データ抽出手段として機能させることを特徴とする。
【００３１】
このような構成によれば、第３の本発明に係る画像処理装置と同様の効果を奏する画像処理プログラムを提供することができる。
【発明の効果】
【００３２】
本発明によれば、アルバムにおいて同時に閲覧される画像データを自動的に抽出することにより、それらの画像データに対して画像特性が同程度となるような画像調整などを容易に行うことができるので、より見栄えのよいアルバムを容易に作製することができる。
【発明を実施するための最良の形態】
【００３３】
図１は、本発明の一実施形態に係る画像形成装置３の一構成例を示した概略断面図である。この画像形成装置３は、例えばインクジェットプリンタからなり、画像データに基づく画像を用紙Ｐの片面又は両面にプリントすることができる。なお、画像形成装置３は、インクジェットプリンタに限定されず、熱転写式プリンタ、レーザープリンタ、銀塩式プリンタでも構成できる。
【００３４】
当該画像形成装置３によるプリント処理は以下の流れである。用紙ストック部３０に枚葉の用紙Ｐ（インクジェット用紙）がストックされ、用紙送り機構によって用紙Ｐが１枚ずつ下流側に搬送される構成である。搬送された用紙Ｐは、画像形成部３７の吸引部３２によって吸引されて一次保持される。画像形成部３７は、Ｃ（シアン）、Ｍ（マゼンタ）、Ｙ（イエロー）、Ｋ（ブラック）のそれぞれのプリントヘッド３１を備えている。間欠搬送される用紙Ｐに対し、プリントヘッド３１が主走査方向に一走査し、この走査時に、各色のインク吐出ノズルからインクが吐出し、用紙Ｐの表面に付着する。この間欠搬送、主走査動作およびインク吐出動作を繰り返すことで、用紙Ｐの印刷領域に画像が形成される。
【００３５】
次いで、画像形成された用紙Ｐは、切断部３３に搬送される。片面印刷の場合に、切断部３３（例えば、回転刃）は、用紙幅方向に移動することで、用紙Ｐ中の不必要部分を切断する。なお、両面印刷の場合は、両面印刷終了後に切断処理を実行してもよい。次いで、片面印刷の場合、用紙Ｐの裏面に、裏印字手段（不図示）によって識別番号、コマ番号、日付等の情報が印刷される。なおこの裏印字処理は任意の処理である。次いで、搬送下流側の乾燥手段３４によって、用紙Ｐの画像形成面を乾燥させる。乾燥処理された用紙Ｐは、上側に搬送される過程で表裏反転され、排出部３６に排出される。両面印刷する場合には、用紙Ｐの後端がリバース機構３５で挟持され、当該リバース機構３５が用紙Ｐを後端から画像形成部３７の上流側に搬送するように変位する。画像形成部３７では裏面に印刷処理をし、次いで必要に応じて切断処理し、次いで乾燥処理し、排出部３６に両面印刷された用紙Ｐ２が排出される。
【００３６】
このような画像形成装置３を用いて、複数ページに割り当てられた複数の画像データをページごとにプリントし、それらの複数枚の写真プリントをファイリング又は製本することにより、複数ページからなるアルバムを作製することができる。本実施形態では、用紙Ｐの両面にプリント可能であるため、画像が両面に形成された写真プリントを生成し、それらをファイリング又は製本すれば、見開き状態のページ（見開きページ）に画像が配置されたアルバムを作製することができる。このような見開きページに画像が配置されたアルバムでは、より多くの画像を同時に閲覧することができる。
【００３７】
図２は、本発明の一実施形態に係る画像処理装置１の一構成例を示したブロック図である。この画像処理装置１は、上記画像形成装置３に備えられ、上述のような複数ページからなるアルバムの各ページに割り当てられている複数の画像データに対する処理を行う。当該画像処理装置１は、例えばＣＰＵ(Central Processing Unit)からなる制御部を備えており、当該制御部がコンピュータプログラムを実行することにより、各種機能ブロックとして機能するようになっている。具体的には、上記制御部が、画像データ抽出部１１、画像データ調整部１２及び画像データ配置部１３などとして機能するようになっている。
【００３８】
また、画像処理装置１は、メモリを備えており、当該メモリの記憶領域に各種記憶部が割り当てられている。具体的には、上記メモリに、画像データ記憶部２１、画像割当情報記憶部２２、プリント用画像データ記憶部２３及び表示用画像データ記憶部２４などが割り当てられている。ただし、上記各記憶部は、別々のメモリにより構成されるものであってもよい。また、上記各記憶部は、画像処理装置１に内蔵されたような構成に限らず、外部メモリにより構成されていてもよい。
【００３９】
画像データ記憶部２１には、複数の画像データを記憶することができる。当該画像データ記憶部２１には、読取装置により記録媒体から読み取った画像データや、店舗などに設置された注文者用受付端末に入力された画像データや、ユーザ端末からインターネットを介してネット受付端末により受信した画像データなどを記憶することができる。この画像データ記憶部２１に記憶される画像データとしては、現像済み写真フィルムの各コマ画像から読み取った画像データや、デジタルカメラで撮影することにより得られた画像データなどが挙げられる。各画像データには、例えば撮影日時などの時間情報が対応付けて記憶されている。上記時間情報は、時間を表す情報であれば、撮影時にカメラの機能によって自動的に付与されるものであってもよいし、ユーザの操作によって付与されるものであってもよい。
【００４０】
本実施形態では、画像データ記憶部２１に記憶されている複数の画像データには、それぞれ画像調整情報を対応付けて記憶することができるようになっている。この画像調整情報は、後述する画像データ調整部１２により行われた処理に関する情報であり、再プリントを行う場合などには、既に一度プリントされている画像データの画像調整情報を画像データ記憶部２１から読み出して利用することができる。
【００４１】
画像割当情報記憶部２２には、画像データ記憶部２１に記憶されている複数の画像データが、アルバムを構成する複数ページに割り当てられて記憶されることにより、アルバムの各ページに対する画像データの割当情報が記憶されている。具体的には、アルバムを構成する複数ページの各ページ番号に、１つ又は複数の画像データが割り当てられて記憶されている。
【００４２】
なお、各ページに対する画像データの割り当ては、各画像データに対応付けて記憶されている時間情報に基づいて複数の画像データを所定の順序（例えば、時系列）で各ページに割り当てるような構成であってもよいし、ユーザの操作によって入力された順序で複数の画像データを各ページに割り当てるような構成であってもよい。各ページに割り当てられる画像データの数は、予め定められていてもよいし、ページごとに設定できるようになっていてもよい。
【００４３】
ただし、画像割当情報記憶部２２は、各ページ番号に画像データが割り当てられて記憶されるような構成に限らず、画像データの識別情報が各ページ番号に割り当てられて記憶されるような構成であってもよい。この場合、画像割当情報記憶部２２に記憶されている各画像データの識別情報に基づいて、対応する画像データが必要に応じて画像データ記憶部２１から読み出されるような構成であってもよい。
【００４４】
画像データ抽出部１１は、画像データ記憶部２１に記憶されている複数の画像データから画像データを抽出する画像データ抽出手段を構成している。本実施形態では、操作部９を操作して所定の画像データを選択することにより、その選択された画像データと、当該画像データとアルバムにおいて同時に閲覧される画像データとが、画像データ抽出部１１により抽出されるようになっている。すなわち、操作部９は、画像データ記憶部２１に記憶されている複数の画像データの中から所定の画像データを選択するための画像データ選択手段を構成している。また、画像データ抽出部１１は、選択された画像データとアルバムにおいて同時に閲覧される画像データを抽出する画像データ抽出手段を構成している。
【００４５】
本実施形態において、画像データ抽出部１１は、選択された上記所定の画像データと同一のページに複数の画像データが割り当てられている場合には、上記所定の画像データとともに、当該ページに割り当てられている他の画像データを全て抽出するようになっている。また、選択された上記所定の画像データが割り当てられているページに対する見開きページに画像データが割り当てられている場合には、画像割当情報記憶部２２に記憶されている各ページに対する画像データの割当情報に基づいて、当該見開きページに割り当てられている画像データを全て抽出するようになっている。これにより、選択された画像データとアルバムにおいて同時に閲覧される全ての画像データを抽出することができる。
【００４６】
ただし、画像データ抽出部１１は、選択された画像データと同一のページに割り当てられている他の画像データを全て抽出するような構成に限らず、上記他の画像データの一部を抽出するような構成であってもよい。また、選択された画像データと同一のページに他の画像データが割り当てられていない場合などには、当該ページに割り当てられている他の画像データを抽出する処理を省略することも可能である。さらに、画像データ抽出部１１は、選択された画像データが割り当てられているページに対して見開きページに割り当てられている画像データを全て抽出するような構成に限らず、上記見開きページに割り当てられている画像データの一部を抽出するような構成であってもよい。また、片面プリントの場合のように、選択された画像データが割り当てられているページに対して見開きページに画像データが割り当てられていない場合には、選択された画像データが割り当てられているページの見開きページに割り当てられている画像データを抽出する処理を省略することも可能である。
【００４７】
画像データ抽出部１１により抽出された画像データは、表示部１０に一覧表示されるようになっている。当該表示部１０は、画像データ抽出部１１により抽出された画像データを表示するための画像データ表示手段であり、例えば液晶表示器により構成される。表示部１０に表示される画像データが既に一度プリントされている画像データである場合などには、画像データ記憶部２１に記憶されている画像調整情報に基づいて、後述する画像調整が反映された状態で表示部１０に表示されることが好ましい。
【００４８】
画像データ調整部１２は、画像補正処理部１２１及びトリミング処理部１２２などの各種処理部を有しており、画像データ抽出部１１により抽出された画像データを調整するための各種処理を行う。画像補正処理部１２１は、ユーザによる操作部９の操作に基づいて、画像データ抽出部１１により抽出された画像データに対して各種画像補正処理（γ補正、濃度補正、赤目補正、逆光補正など）を行う。また、トリミング処理部１２２は、ユーザによる操作部９の操作に基づいて、画像データ抽出部１１により抽出された画像データの一部を切り出す処理を行う。ただし、画像データ調整部１２による処理は、ユーザによる操作部９の操作に基づいて行われるような構成に限らず、例えば自動的に行われるような構成であってもよい。
【００４９】
本実施形態では、ユーザが選択した上記所定の画像データに対して、操作部９の操作により画像調整を行った場合に、上記所定の画像データだけでなく、画像データ抽出部１１により抽出された他の画像データに対しても同様の画像調整が行われるようになっている。すなわち、操作部９は、上記所定の画像データに対する画像調整を指示する画像調整指示手段を構成している。また、画像データ調整部１２は、操作部９による指示に基づいて、上記所定の画像データ、及び、画像データ抽出部１１により抽出された画像データに対して画像調整を行う画像データ調整手段を構成している。上記同様の画像調整とは、例えば、上記所定の画像データに対する画像調整により設定された数値と同一の数値が、上記抽出された他の画像データに対して設定されるような構成であってもよい。ただし、このような構成に限らず、例えば、上記所定の画像データと上記抽出された他の画像データとが同程度の画像特性を有するように画像調整が行われるような構成であってもよい。
【００５０】
画像データ配置部１３は、画像割当情報記憶部２２に記憶されている各ページに対する画像データの割当情報に基づいて、画像データ調整部１２による画像調整後の各画像データを対応するページに配置することにより、プリント用画像データ及び表示用画像データを生成する画像データ配置手段である。プリント用画像データは、ページごとにプリント用画像データ記憶部２３に記憶され、当該プリント用画像データに基づいて画像形成部３７により用紙に画像がプリントされる。画像形成部３７は、プリント用画像データ記憶部２３に記憶されているプリント用画像データに基づいて写真プリントを生成する画像形成手段を構成している。
【００５１】
表示用画像データは、プリント用画像データが縮小された画像データからなり、表示用画像データ記憶部２４に記憶され、当該表示用画像データに基づいて表示部１０に画像が表示される。表示用画像データは、プリント用画像データを縮小する処理を行うことにより生成されるような構成であってもよいし、プリント用画像データとは別に生成されるような構成であってもよい。この表示部１０に表示される表示用画像データを確認することにより、作製されるアルバムのイメージを認識することができる。ただし、表示部１０は、画像処理装置１に備えられた構成に限らず、画像処理装置１とは別個に設けられていてもよい。
【００５２】
図３は、画像データを選択して写真プリントを生成する際の処理の一例を示したフローチャートである。ユーザは、操作部９を操作することにより、画像データを選択するための画像選択画面を表示部１０に表示させることができる（ステップＳ１０１）。そして、画像選択画面において、操作部９が操作されることにより所定の画像データが選択された場合には（ステップＳ１０２でＹｅｓ：画像データ選択ステップ）、選択された画像データと、当該画像データとアルバムにおいて同時に閲覧される画像データとが抽出され（ステップＳ１０３：画像データ抽出ステップ）、その抽出された画像データが表示部１０に表示される（ステップＳ１０４：画像データ表示ステップ）。
【００５３】
図４は、画像選択画面の一例を示した図であり、再プリントを行う場合の画像選択画面の例が示されている。この例では、再プリント（焼き増し）を行う画像データの候補として、画像データ記憶部２１に記憶されている全ての画像データが閲覧可能な状態で表示部１０に表示されるようになっている。具体的には、画像データ記憶部２１に記憶されている全ての画像データが、横一列に並べてスクロール表示可能な状態で表示部１０に表示されるようになっている。ユーザは、操作部９を操作することにより、表示部１０の画像選択画面上に表示されている複数の画像データの中からいずれか１つの画像データを選択することができる。ただし、複数の画像データを選択することも可能である。
【００５４】
図５は、選択された画像データとアルバムにおいて同時に閲覧される画像データとして抽出された画像データの表示部１０に対する表示態様の一例を示した図である。図４の画像選択画面で所定の画像データを選択すると、その画像データと、当該画像データとアルバムにおいて同時に閲覧される画像データとが抽出され、図５に示すようなジャッジ画面上に一覧表示される。
【００５５】
図５に示すジャッジ画面には、各画像データに対応付けて、４つの補正値入力領域６０１が設けられている。これら４つの補正値入力領域６０１には、Ｙ（イエロー）、Ｍ（マゼンタ）、Ｃ（シアン）、Ｄ（濃度）の補正値をそれぞれ入力することができる。この図５において、補正値入力領域６０１に表示されている「Ｎ」は初期値を表しており、当該初期値に対する相対的な補正値を「＋１」、「＋２」、「−１」、「−２」といったレベルで段階的に入力することができる。
【００５６】
ユーザは、当該ジャッジ画面において操作部９を操作し、色補正や濃度補正などの画像補正処理の態様を設定することにより、画像調整を行うことができる。なお、トリミング処理などの他の画像調整に関する設定は、当該ジャッジ画面とは異なる画面において行うことができる。ただし、画像補正処理やトリミング処理などの設定を同一の画面で行うことができるような構成であってもよい。
【００５７】
この例では、図５に示すジャッジ画面上にスタートキー６０２が配置されており、操作部９を操作して当該スタートキー６０２を選択することにより、ジャッジ画面に表示されている画像データのプリントを指示することができる。
【００５８】
再び図３を参照して、抽出された画像データが表示部１０に表示された後、図５に示したジャッジ画面などで画像調整の入力があった場合には（ステップＳ１０５でＹｅｓ）、抽出された画像データに対して、その入力された態様で画像調整が行われる。このとき、ユーザが選択した上記所定の画像データに対して画像調整が行われた場合には、当該画像データとアルバムにおいて同時に閲覧される画像データに対しても同一の数値が設定されることにより、自動的に画像調整が行われる（ステップＳ１０６）。
【００５９】
その後、抽出された画像データが対応するページに配置される（ステップＳ１０７）。このとき、片面プリントの場合には、抽出された画像データが同一のページに配置され、両面プリントの場合には、抽出された画像データが互いに表裏の関係にある２ページに配置される。そして、抽出された画像データが配置された各ページに対応する表示用画像データが表示部１０に表示されることにより、各ページのプリントイメージが表示される（ステップＳ１０８）。なお、所定のテンプレートが選択された場合には、そのテンプレートに抽出された画像データが配置されるようになっている。
【００６０】
ユーザによる操作部９の操作によってプリント指示がされると（ステップＳ１０９でＹｅｓ）、抽出された画像データが配置された各ページに対応するプリント用画像データに基づいて、写真プリントが生成される（ステップＳ１１０）。すなわち、片面プリントの場合には、同一の用紙の片面に、抽出された画像データがプリントされ、両面プリントの場合には、同一の用紙の両面に、抽出された画像データがプリントされる。
【００６１】
このとき、ユーザが選択した上記所定の画像データが割り当てられているページに対する見開きページにも画像データが割り当てられている場合には、当該見開きページを構成する２ページ分の写真プリントが生成される。この場合、見開きページの各ページに割り当てられている画像データに対しては、上述の通り同様の画像調整が行われることとなるが、当該見開きページの各ページに対して裏面を構成する各ページに割り当てられている画像データに対しては、見開きページの画像データに対する画像調整は反映されず、画像データ記憶部２１に記憶されている画像調整情報に基づいてプリントされるようになっていてもよい。上記の例では、両面プリントの場合に、抽出された画像データが互いに表裏の関係にある２ページに配置され、それらのページに対応する表示用画像データが表示部１０に表示されるような構成について説明したが、このような構成に限らず、片面のページに対応する表示用画像データのみが表示されるような構成であってもよい。例えば、見開きページの各ページに対応する表示用画像データは表示されるが、当該見開きページの各ページに対して裏面を構成する各ページに対応する表示用画像データは表示されないような構成であってもよい。
【００６２】
図６は、各ページのプリントイメージを表示部１０に表示する際の態様の一例を示した図である。図６（ａ）及び（ｂ）にそれぞれ示すような表示画面は、図５に示すジャッジ画面のような画像調整時に表示される画面と同時に表示されてもよいし、別々に表示されてもよい。
【００６３】
図６（ａ）の例では、選択された画像データと同一のページに複数（例えば３つ）の画像データが割り当てられており、これらの画像データが画像データ記憶部２１から抽出されて同一のページに配置されている。
【００６４】
一方、図６（ｂ）の例では、選択された画像データが割り当てられているページに対する見開きページにも画像が割り当てられており、これらの画像データが画像データ記憶部２１から抽出されて各ページに配置されている。この例では、各ページに画像データが１つだけ割り当てられているが、このような構成に限らず、各ページに複数の画像データが割り当てられていてもよい。
【００６５】
本実施形態では、複数の画像データの中から選択した所定の画像データとアルバムにおいて同時に閲覧される画像データを自動的に抽出することができる。したがって、上記所定の画像データ及び上記同時に閲覧される画像データに対して、画像特性が同程度となるような画像調整などを容易に行うことができるので、より見栄えのよいアルバムを容易に作製することができる。
【００６６】
また、本実施形態では、上記所定の画像データに対する画像調整の指示に基づいて、当該所定の画像データだけでなく、同時に閲覧される画像データに対しても画像調整を行うことができる。したがって、より見栄えのよいアルバムをさらに容易に作製することができる。
【００６７】
さらに、本実施形態では、抽出された画像データを表示し、その表示された画像データの画像特性を確認することができる。したがって、例えば抽出された画像データに対して行うべき画像調整の態様を容易に判断することができるので、より見栄えのよいアルバムをさらに容易に作製することができる。
【００６８】
図７は、本発明の別実施形態に係る画像形成装置３により写真プリントを生成する際の処理の一例を示したフローチャートである。本実施形態では、上記実施形態のように画像選択画面上で画像データを選択するのではなく、ページ選択画面上でページを選択するようになっている。
【００６９】
具体的には、ユーザは、操作部９を操作することにより、ページを選択するためのページ選択画面を表示部１０に表示させることができる（ステップＳ２０１）。そして、ページ選択画面において、操作部９が操作されることにより、アルバムを構成する複数ページの中から所定のページが選択された場合には（ステップＳ２０２でＹｅｓ：ページ選択ステップ）、選択されたページに割り当てられている画像データとアルバムにおいて同時に閲覧される画像データが抽出され（ステップＳ２０３：画像データ抽出ステップ）、その抽出された画像データが表示部１０に表示される（ステップＳ２０４：画像データ表示ステップ）。その後の処理Ｓ２０５〜Ｓ２１０は、図３に示した処理Ｓ１０５〜Ｓ１１０と同様であるので、説明を省略することとする。
【００７０】
本実施形態では、操作部９は、アルバムを構成する複数ページの中から所定のページを選択するためのページ選択手段を構成している。また、画像データ抽出部１１は、選択されたページに割り当てられている画像データとアルバムにおいて同時に閲覧される画像データを抽出する画像データ抽出手段を構成している。
【００７１】
本実施形態において、画像データ抽出部１１は、選択された上記所定のページに割り当てられている画像データを全て抽出するようになっている。また、選択された上記所定の画像データが割り当てられているページに対する見開きページに画像データが割り当てられている場合には、画像割当情報記憶部２２に記憶されている各ページに対する画像データの割当情報に基づいて、上記所定のページに対する見開きページに割り当てられている全ての画像データを抽出するようになっている。これにより、選択されたページに割り当てられている画像データと同時に閲覧される全ての画像データを抽出することができる。
【００７２】
ただし、画像データ抽出部１１は、選択されたページに割り当てられている画像データを全て抽出するような構成に限らず、上記選択されたページに割り当てられている画像データの一部を抽出するような構成であってもよい。さらに、画像データ抽出部１１は、選択されたページに対する見開きページに割り当てられている画像データを全て抽出するような構成に限らず、上記見開きページに割り当てられている画像データの一部を抽出するような構成であってもよい。また、片面プリントの場合などには、選択されたページに対する見開きページに割り当てられている画像データを抽出する処理を省略することも可能である。
【００７３】
本実施形態では、複数ページの中から選択した所定のページに割り当てられている画像データとアルバムにおいて同時に閲覧される画像データを自動的に抽出することができる。したがって、上記所定のページに割り当てられている画像データ及び上記同時に閲覧される画像データに対して、画像特性が同程度となるような画像調整などを容易に行うことができるので、より見栄えのよいアルバムを容易に作製することができる。
【００７４】
また、本実施形態では、上記所定のページに割り当てられている画像データに対する画像調整の指示に基づいて、当該所定のページに割り当てられている画像データだけでなく、同時に閲覧される画像データに対しても画像調整を行うことができる。したがって、より見栄えのよいアルバムをさらに容易に作製することができる。
【００７５】
さらに、本実施形態では、抽出された画像データを表示し、その表示された画像データの画像特性を確認することができる。したがって、例えば抽出された画像データに対して行うべき画像調整の態様を容易に判断することができるので、より見栄えのよいアルバムをさらに容易に作製することができる。
【００７６】
以上の実施形態では、画像処理装置１が画像形成装置３に備えられた構成について説明したが、このような構成に限らず、画像処理装置１が画像形成装置３とは別個に設けられたような構成であってもよい。
【図面の簡単な説明】
【００７７】
【図１】本発明の一実施形態に係る画像形成装置の一構成例を示した概略断面図である。
【図２】本発明の一実施形態に係る画像処理装置の一構成例を示したブロック図である。
【図３】画像データを選択して写真プリントを生成する際の処理の一例を示したフローチャートである。
【図４】画像選択画面の一例を示した図であり、再プリントを行う場合の画像選択画面の例が示されている。
【図５】選択された画像データとアルバムにおいて同時に閲覧される画像データとして抽出された画像データの表示部に対する表示態様の一例を示した図である。
【図６】各ページのプリントイメージを表示部に表示する際の態様の一例を示した図である。
【図７】本発明の別実施形態に係る画像形成装置により写真プリントを生成する際の処理の一例を示したフローチャートである。
【符号の説明】
【００７８】
１    画像処理装置
３    画像形成装置
９    操作部
１０    表示部
１１    画像データ抽出部
１２    画像データ調整部
１３    画像データ配置部
２１    画像データ記憶部
２２    画像割当情報記憶部
２３    プリント用画像データ記憶部
２４    表示用画像データ記憶部
３７    画像形成部
１２１    画像補正処理部
１２２    トリミング処理部
【図１】
2010052170.tif 000003
【図２】
2010052170.tif 000004
【図３】
2010052170.tif 000005
【図４】
2010052170.tif 000006
【図５】
2010052170.tif 000007
【図６】
2010052170.tif 000008
【図７】
2010052170.tif 000009